(57)【特許請求の範囲】
【請求項１】
第１電極パターンと第２電極パターンとが誘電体フィルムを挟んで対向した状態で巻回された構成を有する巻回体と、前記巻回体の一方の端部に電気的に接続された第１端子部と、前記巻回体の他方の端部に電気的に接続された第２端子部とを有するフィルムコンデンサにおいて、
前記第１電極パターンは、前記誘電体フィルムの長手方向に沿って連続して延在する第１取出電極部と、前記第１取出電極部からそれぞれほぼ直角に延びる複数の第１コンデンサ電極部と、前記第１コンデンサ電極部間に配置され、且つ、前記第１コンデンサ電極部に接続された第２コンデンサ電極部とを有し、
前記第２電極パターンは、前記誘電体フィルムの長手方向に沿って連続して延在する第２取出電極部と、前記第２取出電極部からそれぞれほぼ直角に延びる複数の第３コンデンサ電極部と、前記第３コンデンサ電極部間に配置され、且つ、前記第３コンデンサ電極部に接続された第４コンデンサ電極部とを有し、
前記第１電極パターンの前記第１コンデンサ電極部と前記第２電極パターンの前記第４コンデンサ電極部とが前記誘電体フィルムを挟んで重なり、前記第１電極パターンの前記第２コンデンサ電極部と前記第２電極パターンの前記第３コンデンサ電極部とが前記誘電体フィルムを挟んで重なり、
前記第１コンデンサ電極部の前記誘電体フィルムの長手方向に沿った幅より前記第４コンデンサ電極部の前記誘電体フィルムの長手方向に沿った幅が広く、且つ、前記第３コンデンサ電極部の前記誘電体フィルムの長手方向に沿った幅より前記第２コンデンサ電極部の前記誘電体フィルムの長手方向に沿った幅が広く、
前記第１電極パターンの前記第１取出電極部は、前記第１端子部に電気的に接続されるように、前記誘電体フィルムの一方の側端まで延在して形成され、
前記第２電極パターンの前記第２取出電極部は、前記第２端子部に電気的に接続されるように、前記誘電体フィルムの他方の側端まで延在して形成されていることを特徴とする自己回復機能と自己保安機構とを併せ持つフィルムコンデンサ。
【請求項２】
請求項１記載のフィルムコンデンサにおいて、
前記巻回体は、片面に前記第１電極パターンが形成された第１誘電体フィルムと、片面に前記第２電極パターンが形成された第２誘電体フィルムとを、前記第１電極パターンと前記第２電極パターンとが接触しないように重ね合わせ、この重ね合わされた前記第１誘電体フィルムと前記第２誘電体フィルムを巻回して構成されていることを特徴とするフィルムコンデンサ。
【請求項３】
請求項１記載のフィルムコンデンサにおいて、
前記巻回体は、一方の片面に前記第１電極パターンが形成され、他方の片面に前記第２電極パターンが形成された誘電体フィルムと両面に電極パターンが形成されていない誘電体フィルムのスペーサを重ね合わせ、この重ね合わされた前記誘電体フィルムと前記誘電体フィルムのスペーサを巻回して構成されていることを特徴とするフィルムコンデンサ。
【請求項４】
請求項１〜３のいずれか１項に記載のフィルムコンデンサにおいて、
前記誘電体フィルムの幅方向の両端がそれぞれ波形にカットされていることを特徴とするフィルムコンデンサ。
【請求項５】
請求項１〜４のいずれか１項に記載のフィルムコンデンサにおいて、
前記第１電極パターンの前記第２コンデンサ電極部は、１以上の第１区画に分離され、
前記第１区画は、前記第１コンデンサ電極部のうち、前記誘電体フィルムの幅方向に沿って延びる少なくとも一方の端面にそれぞれ幅狭の第１ヒューズ部を介して接続され、
前記第２電極パターンの前記第４コンデンサ電極部は、１以上の第２区画に分離され、
前記第２区画は、前記第４コンデンサ電極部のうち、前記誘電体フィルムの幅方向に沿って延びる少なくとも一方の端面にそれぞれ幅狭の第２ヒューズ部を介して接続されていることを特徴とするフィルムコンデンサ。
【請求項６】
請求項５記載のフィルムコンデンサにおいて、
前記第１区画は、２以上の第１微小区画が前記誘電体フィルムの長手方向に沿って配列され、且つ、幅狭の第３ヒューズ部を介して連結され、
前記第２区画は、２以上の第２微小区画が前記誘電体フィルムの長手方向に沿って配列され、且つ、幅狭の第４ヒューズ部を介して連結されていることを特徴とするフィルムコンデンサ。
【請求項７】
請求項５記載のフィルムコンデンサにおいて、
前記第１電極パターンの前記第１取出電極部と前記第１コンデンサ電極部との間に、前記第１コンデンサ電極部の幅よりも狭く、且つ、前記第１ヒューズ部の幅よりも広い第５ヒューズ部が形成され、
前記第２電極パターンの前記第２取出電極部と前記第２コンデンサ電極部との間に、前記第２コンデンサ電極部の幅よりも狭く、且つ、前記第２ヒューズ部の幅よりも広い第６ヒューズ部が形成されていることを特徴とするフィルムコンデンサ。
【発明の詳細な説明】
【技術分野】
【０００１】
本発明は、第１電極パターンと第２電極パターンとが誘電体フィルムを挟んで対向した状態で巻回された構成を有する巻回体と、前記巻回体の一方の端部に電気的に接続された第１端子部と、前記巻回体の他方の端部に電気的に接続された第２端子部とを有するフィルムコンデンサに関し、特に、自己回復機能と自己保安機構とを併せ持つフィルムコンデンサに関する。
【背景技術】
【０００２】
従来、自己回復機能と自己保安機構とを併せ持つフィルムコンデンサについては、例えば特許文献１〜４等に開示されている。
【０００３】
特許文献１記載のフィルムコンデンサは、誘電体フィルムを挟んで対向する１対のコンデンサ電極のうち、少なくともその一方の電極が金属蒸着によって形成され、該電極をフィルムの長さ方向に沿って等間隔又は任意の間隔に複数箇所の絶縁溝で区分し、複数個の区分電極列を形成するようにしている。区分電極列の各電極は、複数箇所の狭隘な電流通路を残して形成した絶縁溝網である。
【０００４】
そして、フィルムの長さ方向に２〜２０個、幅方向に複数個の独立した小電極を形成してなる金属化フィルムを巻回して巻回体を構成し、該巻回体の両端面に金属を溶射して端子電極を形成してコンデンサ素子を設け、該コンデンサ素子を１個又は複数個単位で外装して構成するようにしている。
【０００５】
特許文献２記載のフィルムコンデンサは、誘電体フィルムの片面に金属蒸着電極を形成し、その電極部の長手方向及び幅方向に複数個の分割電極を形成し、その分割電極を非電極のマージンで区切るとともに、そのマージンの部分にヒューズ機能を有するマージンヒューズを設け、且つ、このマージンヒューズが一層上及び下の対向電極のマージンヒューズ部分と重なるようにしている。
【０００６】
特許文献３記載のフィルムコンデンサは、金属薄膜の設けられた誘電体のコンデンサシートが、シートの進行方向でコンデンサ巻体を形成するように巻き回されているシートコンデンサであって、その金属化部は、金属薄膜に分割部の設けられている形式となっている。金属薄膜は、進行方向に対して横方向で成形された部分的な分割部を有する。
【０００７】
特許文献４記載のフィルムコンデンサは、１対の蒸着電極に、容量を形成する有効電極部において、幅方向のほぼ中央部から絶縁マージンに向かう側に、ヒューズにより並列接続された分割電極が設けられている。これにより、メタリコンより離れた位置で流れる電流の少なくなっていく絶縁マージンに近い側にヒューズ、分割電極が設けられた構成となるため、ヒューズによる発熱を少なくして温度上昇を抑制することができるようになっている。
【０００８】
【特許文献１】特許第３７１０８７３号公報
【特許文献２】特開平９−１９９３７１号公報
【特許文献３】特表２００２−５０４７４７号公報
【特許文献４】特開２００４−１３４５６１号公報
【発明の開示】
【発明が解決しようとする課題】
【０００９】
ところで、従来のフィルムコンデンサは、いずれもフィルムコンデンサの端子部と電気的に接続される取出電極部に直接分割電極が非常に幅の狭いフューズ部を介して接続されている。
【００１０】
そのため、電流が流れた場合の放熱経路が狭く、放熱効率が悪くなり、発熱温度が高くなるという問題がある。そこで、発熱温度を抑えるためには、許容電流値を下げるしかなく、様々なアプリケーションに対応できないという問題がある。
【００１１】
本発明はこのような課題を考慮してなされたものであり、放熱経路を十分に確保することができ、しかも、自己回復機能と自己保安機構とを併せ持たせることができ、様々なアプリケーションにも対応させることができるフィルムコンデンサを提供することを目的とする。
【課題を解決するための手段】
【００１２】
本発明に係るフィルムコンデンサは、第１電極パターンと第２電極パターンとが誘電体フィルムを挟んで対向した状態で巻回された構成を有する巻回体と、前記巻回体の一方の端部に電気的に接続された第１端子部と、前記巻回体の他方の端部に電気的に接続された第２端子部とを有するフィルムコンデンサにおいて、前記第１電極パターンは、前記誘電体フィルムの長手方向に沿って連続して延在する第１取出電極部と、前記第１取出電極部からそれぞれほぼ直角に延びる複数の第１コンデンサ電極部と、前記第１コンデンサ電極部間に配置され、且つ、前記第１コンデンサ電極部に接続された第２コンデンサ電極部とを有し、前記第２電極パターンは、前記誘電体フィルムの長手方向に沿って連続して延在する第２取出電極部と、前記第２取出電極部からそれぞれほぼ直角に延びる複数の第３コンデンサ電極部と、前記第３コンデンサ電極部間に配置され、且つ、前記第３コンデンサ電極部に接続された第４コンデンサ電極部とを有し、前記第１電極パターンの前記第１コンデンサ電極部と前記第２電極パターンの前記第４コンデンサ電極部とが前記誘電体フィルムを挟んで重なり、前記第１電極パターンの前記第２コンデンサ電極部と前記第２電極パターンの前記第３コンデンサ電極部とが前記誘電体フィルムを挟んで重なり、前記第１コンデンサ電極部の前記誘電体フィルムの長手方向に沿った幅より前記第４コンデンサ電極部の前記誘電体フィルムの長手方向に沿った幅が広く、且つ、前記第３コンデンサ電極部の前記誘電体フィルムの長手方向に沿った幅より前記第２コンデンサ電極部の前記誘電体フィルムの長手方向に沿った幅が広く、前記第１電極パターンの前記第１取出電極部は、前記第１端子部に電気的に接続されるように、前記誘電体フィルムの一方の側端まで延在して形成され、前記第２電極パターンの前記第２取出電極部は、前記第２端子部に電気的に接続されるように、前記誘電体フィルムの他方の側端まで延在して形成されていることを特徴とする。
【００１３】
これにより、前記第１コンデンサ電極部及び前記第３コンデンサ電極部を放熱経路として有効に利用することができる。すなわち、本発明においては、放熱経路を十分に確保することができ、しかも、自己回復機能と自己保安機構とを併せ持たせることができ、許容電流値を向上させることができる等、様々なアプリケーションにも対応させることができる。
【００１４】
そして、本発明においては、前記巻回体は、片面に前記第１電極パターンが形成された第１誘電体フィルムと、片面に前記第２電極パターンが形成された第２誘電体フィルムとを、前記第１電極パターンと前記第２電極パターンとが接触しないように重ね合わせ、この重ね合わされた前記第１誘電体フィルムと前記第２誘電体フィルムを巻回して構成されていてもよい。
【００１５】
また、本発明においては、前記巻回体は、一方の片面に前記第１電極パターンが形成され、他方の片面に前記第２電極パターンが形成された誘電体フィルムと両面に電極パターンが形成されていないスペーサを重ね合わせ、この重ね合わされた前記誘電体フィルムと前記スペーサを巻回して構成されていてもよい。
【００１６】
また、本発明においては、前記誘電体フィルムの幅方向の両端がそれぞれ波形にカットされていてもよい。ここで、波形としては、例えばｓｉｎ波や三角波に準じた波形や半円形等が考えられる。
【００１７】
また、本発明においては、前記第１電極パターンの前記第２コンデンサ電極部は、１以上の第１区画に分離され、前記第１区画は、前記第１コンデンサ電極部のうち、前記誘電体フィルムの幅方向に沿って延びる少なくとも一方の端面にそれぞれ幅狭の第１ヒューズ部を介して接続され、前記第２電極パターンの前記第４コンデンサ電極部は、１以上の第２区画に分離され、前記第２区画は、前記第４コンデンサ電極部のうち、前記誘電体フィルムの幅方向に沿って延びる少なくとも一方の端面にそれぞれ幅狭の第２ヒューズ部を介して接続されていてもよい。
【００１８】
また、本発明において、前記第１区画は、２以上の第１微小区画が前記誘電体フィルムの長手方向に沿って配列され、且つ、幅狭の第３ヒューズ部を介して連結され、前記第２区画は、２以上の第２微小区画が前記誘電体フィルムの長手方向に沿って配列され、且つ、幅狭の第４ヒューズ部を介して連結されていてもよい。
【００１９】
また、本発明において、前記第１電極パターンの前記第１取出電極部と前記第１コンデンサ電極部との間に、前記第１コンデンサ電極部の幅よりも狭く、且つ、前記第１ヒューズ部の幅よりも広い第５ヒューズ部が形成され、前記第２電極パターンの前記第２取出電極部と前記第２コンデンサ電極部との間に、前記第２コンデンサ電極部の幅よりも狭く、且つ、前記第２ヒューズ部の幅よりも広い第６ヒューズ部が形成されていてもよい。
【発明の効果】
【００２０】
以上説明したように、本発明に係るフィルムコンデンサによれば、放熱経路を十分に確保することができ、しかも、自己回復機能と自己保安機構とを併せ持たせることができ、様々なアプリケーションにも対応させることができる。
【発明を実施するための最良の形態】
【００２１】
以下、本発明に係るフィルムコンデンサの実施の形態例を図１〜図１０を参照しながら説明する。
【００２２】
先ず、第１の実施の形態に係るフィルムコンデンサ（以下、第１フィルムコンデンサ１０Ａと記す）は、図１に示すように、巻回体１２と、該巻回体１２の一方の端部に電気的に接続された第１端子部１４と、巻回体１２の他方の端部に電気的に接続された第２端子部１６とを有する。
【００２３】
巻回体１２は、図２に示すように、第１電極パターン１８Ａと第２電極パターン１８Ｂとが誘電体フィルム２０を挟んで対向した状態で巻回された構成を有する。
【００２４】
特に、この第１フィルムコンデンサ１０Ａの巻回体１２は、図２及び図３に示すように、片面に第１電極パターン１８Ａが形成された第１誘電体フィルム２２Ａと、片面に第２電極パターン１８Ｂが形成された第２誘電体フィルム２２Ｂとを、第１電極パターン１８Ａと第２電極パターン１８Ｂとが接触しないように重ね合わせ、この重ね合わされた第１誘電体フィルム２２Ａと第２誘電体フィルム２２Ｂを巻回して構成されている。
【００２５】
第１誘電体フィルム２２Ａ及び第２誘電体フィルム２２Ｂは、それぞれＰＰ（ポリプロピレン）、ＰＥＴ（ポリエチレンテレフタレート）、ＰＰＳ（ポリフェニレンスルフィド）等で構成することができる。第１誘電体フィルム２２Ａ及び第２誘電体フィルム２２Ｂの幅Ｗａは１０〜２００ｍｍであり、厚みｔａ（図３参照）は２．７〜３０μｍである。
【００２６】
第１電極パターン１８Ａ及び第２電極パターン１８Ｂは、アルミニウム、亜鉛、アルミニウムと亜鉛の合金等で構成することができる。第１電極パターン１８Ａ及び第２電極パターン１８Ｂの厚みｔｂは面抵抗が１〜２０オーム／ｍｍ2を満足する厚みが好ましく、例えば１００〜１０００オングストロームである。
【００２７】
第１フィルムコンデンサ１０Ａの容量値としては例えば数１０μＦ〜数１００μＦ、定格電圧としては例えば数１００Ｖ（直流）、定格電流としては数１０Ａを想定している。
【００２８】
全体の形状としては、図１に示すような円筒形や、図４に示すような扁平形等がある。
【００２９】
第１電極パターン１８Ａは、図２及び図５Ａに示すように、第１誘電体フィルム２２Ａの長手方向に沿って連続して延在する第１取出電極部２４Ａと、該第１取出電極部２４Ａからそれぞれほぼ直角に延びる複数の第１コンデンサ電極部２６Ａと、第１コンデンサ電極部２６Ａ間に配置され、且つ、第１コンデンサ電極部２６Ａに接続された第２コンデンサ電極部２６Ｂとを有する。
【００３０】
同様に、第２電極パターン１８Ｂは、図２及び図５Ｂに示すように、第２誘電体フィルム２２Ｂの長手方向に沿って連続して延在する第２取出電極部２４Ｂと、該第２取出電極部２４Ｂからそれぞれほぼ直角に延びる複数の第３コンデンサ電極部２６Ｃと、第３コンデンサ電極部２６Ｃ間に配置され、且つ、第３コンデンサ電極部２６Ｃに接続された第４コンデンサ電極部２６Ｄとを有する。
【００３１】
ここで、第１コンデンサ電極部２６Ａの第１誘電体フィルム２２Ａの長手方向に沿った幅Ｗ１より第４コンデンサ電極部２６Ｄの第２誘電体フィルム２２Ｂの長手方向に沿った幅Ｗ４が広く、且つ、第３コンデンサ電極部２６Ｃの第２誘電体フィルム２２Ｂの長手方向に沿った幅Ｗ３より第２コンデンサ電極部２６Ｂの第１誘電体フィルム２２Ａの長手方向に沿った幅Ｗ２が広くなっている。
【００３２】
そして、巻回体１２とした際には、図３及び図５Ｃに示すように、第１電極パターン１８Ａの第１コンデンサ電極部２６Ａと第２電極パターン１８Ｂの第４コンデンサ電極部２６Ｄとが第１誘電体フィルム２２Ａ又は第２誘電体フィルム２２Ｂを挟んで重なり、第１電極パターン１８Ａの第２コンデンサ電極部２６Ｂと第２電極パターン１８Ｂの第３コンデンサ電極部２６Ｃとが第１誘電体フィルム２２Ａ又は第２誘電体フィルム２２Ｂを挟んで重なっている。
【００３３】
第１電極パターン１８Ａの第１取出電極部２４Ａは、第１端子部１４に電気的に接続されるように、第１誘電体フィルム２２Ａの一方の側端３０ａまで延在して形成されている。同様に、第２電極パターン１８Ｂの第２取出電極部２４Ｂは、第２端子部１６に電気的に接続されるように、第２誘電体フィルム２２Ｂの他方の側端３２ｂまで延在して形成されている。
【００３４】
そして、第１電極パターン１８Ａの第２コンデンサ電極部２６Ｂは、複数の第１区画３４を有する。第１区画３４は、第１コンデンサ電極部２６Ａのうち、第１誘電体フィルム２２Ａの幅方向に沿って延びる一方の端面３６ａ及び他方の端面３６ｂにそれぞれ幅狭の第１ヒューズ部３８を介して接続されている。
【００３５】
同様に、第２電極パターン１８Ｂの第４コンデンサ電極部２６Ｄは、複数の第２区画４０を有する。第２区画４０は、第３コンデンサ電極部２６Ｃのうち、第２誘電体フィルム２２Ｂの幅方向に沿って延びる一方の端面４２ａ及び他方の端面４２ｂにそれぞれ幅狭の第２ヒューズ部４４を介して接続されている。
【００３６】
このように、第１フィルムコンデンサ１０Ａにおいては、異常が発生しても、第１区画３４や第２区画４０の単位で電気的に分離することができるため、異常時での容量の大幅な低下等を回避することができる。しかも、第１ヒューズ部３８と第１取出電極部２４Ａとの間に幅広の第１コンデンサ電極部２６Ａを配置し、第２ヒューズ部４４と第２取出電極部２４Ｂとの間に幅広の第３コンデンサ電極部２６Ｃを配置するようにしたので、第１コンデンサ電極部２６Ａ及び第３コンデンサ電極部２６Ｃを放熱経路として有効に利用することができる。すなわち、第１フィルムコンデンサ１０Ａにおいては、放熱経路を十分に確保することができ、許容電流値を向上させることができる等、様々なアプリケーションにも対応させることができる。
【００３７】
次に、第１フィルムコンデンサ１０Ａのいくつかの変形例について図６Ａ〜図８を参照しながら説明する。
【００３８】
先ず、第１の変形例に係るフィルムコンデンサ１０Ａａは、図６Ａ〜図６Ｃに示すように、第１フィルムコンデンサ１０Ａとほぼ同様の構成を有するが、各第１区画３４及び各第２区画４０の構成が異なる。
【００３９】
すなわち、各第１区画３４は、複数の第１微小区画４６が第１誘電体フィルム２２Ａの長手方向に沿って配列され、且つ、幅狭の第３ヒューズ部４８を介して連結されている。同様に、各第２区画４０は、複数の第２微小区画５０が第２誘電体フィルム２２Ｂの長手方向に沿って配列され、且つ、幅狭の第４ヒューズ部５２を介して連結されている。
【００４０】
この場合も、第１コンデンサ電極部２６Ａ及び第３コンデンサ電極部２６Ｃを放熱経路として有効に利用することができる。特に、第１区画３４及び第２区画４０をさらに小さな第１微小区画４６及び第２微小区画５０に分けるようにしたので、異常が発生しても、第１微小区画４６や第２微小区画５０の単位で電気的に分離することができるため、異常時での容量の大幅な低下等を回避することができる。
【００４１】
次に、第２の変形例に係るフィルムコンデンサ１０Ａｂは、図７Ａ〜図７Ｃに示すように、第１の変形例に係るフィルムコンデンサ１０Ａａとほぼ同様の構成を有するが、以下の点で異なる。
【００４２】
すなわち、第１電極パターン１８Ａにおける第１取出電極部２４Ａと第１コンデンサ電極部２６Ａとの間に、第１コンデンサ電極部２６Ａの幅よりも狭く、且つ、第１ヒューズ部３８の幅よりも広い第５ヒューズ部５４が形成されている。同様に、第２電極パターン１８Ｂにおける第２取出電極部２４Ｂと第３コンデンサ電極部２６Ｃとの間に、第３コンデンサ電極部２６Ｃの幅よりも狭く、且つ、第２ヒューズ部４４の幅よりも広い第６ヒューズ部５６が形成されている。
【００４３】
この場合、例えば１つの第１コンデンサ電極部２６Ａを含む程度の広範囲な欠陥があったとしても、第１コンデンサ電極部２６Ａ単位に電気的に分離することができるため、異常時での容量の大幅な低下等を回避することができる。
【００４４】
次に、第３の変形例に係るフィルムコンデンサ１０Ａｃは、図８に示すように、上述した第１フィルムコンデンサ１０Ａとほぼ同様の構成を有するが、第１誘電体フィルム２２Ａの一方の側端３０ａと他方の側端３０ｂがそれぞれ波形にカットされ、第２誘電体フィルム２２Ｂの一方の側端３２ａと他方の側端３２ｂがそれぞれ波形にカットされている点で異なる。図８では、波形として例えばｓｉｎ波に準じた波形を示したが、その他、三角波に準じた波形や半円形等が考えられる。
【００４５】
第１誘電体フィルム２２Ａの一方の側端３０ａと他方の側端３０ｂ並びに第２誘電体フィルム２２Ｂの一方の側端３２ａと他方の側端３２ｂが、それぞれ一直線上に形成されている場合、巻回体１２とした際に、巻回体１２の一方の端部及び他方の端部から第１取出電極部２４Ａ及び第２取出電極部２４Ｂが露出しにくく、第１端子部１４や第２端子部１６との電気的接続が良好とならないおそれがある。また、巻回体１２のそれぞれの端部と第１端子部１４や第２端子部１６との密着性が問題となるおそれがある。
【００４６】
そこで、第１誘電体フィルム２２Ａの一方の側端３０ａと他方の側端３０ｂをそれぞれ波形にカットし、第２誘電体フィルム２２Ｂの一方の側端３２ａと他方の側端３２ｂをそれぞれ波形にカットすることによって、巻回体１２とした際に、巻回体１２の一方の端部及び他方の端部から第１取出電極部２４Ａ及び第２取出電極部２４Ｂが露出し易くなり、第１端子部１４や第２端子部１６との電気的接続を良好にすることができ、且つ、第１端子部１４や第２端子部１６との密着性も向上させることができる。これは、局部的な大電流の通過を回避することができ、信頼性の向上を図ることができる。
【００４７】
次に、第２の実施の形態に係るフィルムコンデンサ（以下、第２フィルムコンデンサ１０Ｂと記す）について図９及び図１０を参照しながら説明する。
【００４８】
この第２フィルムコンデンサ１０Ｂは、上述した第１フィルムコンデンサ１０Ａとほぼ同様の構成を有するが、巻回体１２が以下のように異なる。
【００４９】
すなわち、この第２フィルムコンデンサ１０Ｂの巻回体１２は、図９及び図１０に示すように、一方の片面に第１電極パターン１８Ａが形成され、他方の片面に第２電極パターン１８Ｂが形成された誘電体フィルム６０Ａと両面に電極パターンが形成されていないスペーサ６０Ｂを重ね合わせ、この重ね合わされた誘電体フィルム６０Ａとスペーサ６０Ｂを巻回して構成されている。
【００５０】
その他の構成は、上述した第１フィルムコンデンサ１０Ａと同じであるため、その重複説明を省略する。
【００５１】
この第２フィルムコンデンサ１０Ｂにおいても、第１フィルムコンデンサ１０Ａと同様に、第１区画３４や第２区画４０の単位で電気的に分離することができるため、異常時での容量の大幅な低下等を回避することができる。しかも、第１ヒューズ部３８と第１取出電極部２４Ａとの間に幅広の第１コンデンサ電極部２６Ａを配置し、第２ヒューズ部４４と第２取出電極部２４Ｂとの間に幅広の第３コンデンサ電極部２６Ｃを配置するようにしたので、第１コンデンサ電極部２６Ａ及び第３コンデンサ電極部２６Ｃを放熱経路として有効に利用することができる。すなわち、第２フィルムコンデンサ１０Ｂにおいては、放熱経路を十分に確保することができ、許容電流値を向上させることができる等、様々なアプリケーションにも対応させることができる。
【００５２】
この第２フィルムコンデンサ１０Ｂにおいても、上述した第１の変形例に係るフィルムコンデンサ１０Ａａ〜第３の変形例に係るフィルムコンデンサ１０Ａｃと同様の構成をもたせることができる。
【００５３】
なお、本発明に係るフィルムコンデンサは、上述の実施の形態に限らず、本発明の要旨を逸脱することなく、種々の構成を採り得ることはもちろんである。
【図面の簡単な説明】
【００５４】
【図１】第１フィルムコンデンサの外形の一例を示す斜視図である。
【図２】第１フィルムコンデンサの巻回体の構成を一部省略して示す斜視図である。
【図３】第１フィルムコンデンサの構成を一部省略して示す断面図である。
【図４】第１フィルムコンデンサの外形の他の例を示す斜視図である。
【図５】図５Ａは第１フィルムコンデンサにおいて、第１誘電体フィルムと第１電極パターンを一部省略して示す平面図であり、図５Ｂは第２誘電体フィルムと第２電極パターンを一部省略して示す平面図であり、図５Ｃは第１誘電体フィルムと第２誘電体フィルムを重ね合わせた状態を一部省略して示す透視図である。
【図６】図６Ａは第１フィルムコンデンサの第１の変形例において、第１誘電体フィルムと第１電極パターンを一部省略して示す平面図であり、図６Ｂは第２誘電体フィルムと第２電極パターンを一部省略して示す平面図であり、図６Ｃは第１誘電体フィルムと第２誘電体フィルムを重ね合わせた状態を一部省略して示す透視図である。
【図７】図７Ａは第１フィルムコンデンサの第２の変形例において、第１誘電体フィルムと第１電極パターンを一部省略して示す平面図であり、図７Ｂは第２誘電体フィルムと第２電極パターンを一部省略して示す平面図であり、図７Ｃは第１誘電体フィルムと第２誘電体フィルムを重ね合わせた状態を一部省略して示す透視図である。
【図８】第１フィルムコンデンサの第３の変形例の巻回体の構成を一部省略して示す斜視図である。
【図９】第２フィルムコンデンサの巻回体の構成を一部省略して示す斜視図である。
【図１０】第２フィルムコンデンサの構成を一部省略して示す断面図である。
【符号の説明】
【００５５】
１０Ａ…第１フィルムコンデンサ
１０Ａａ〜１０Ａｃ…フィルムコンデンサ
１０Ｂ…第２フィルムコンデンサ          １２…巻回体
１４…第１端子部                        １６…第２端子部
１８Ａ…第１電極パターン                １８Ｂ…第２電極パターン
２０、６０Ａ…誘電体フィルム            ２２Ａ…第１誘電体フィルム
２２Ｂ…第２誘電体フィルム              ２４Ａ…第１取出電極部
２４Ｂ…第２取出電極部
２６Ａ〜２６Ｄ…第１コンデンサ電極部〜第４コンデンサ電極部
３４…第１区画                          ３８…第１ヒューズ部
４０…第２区画                          ４４…第２ヒューズ部
４６…第１微小区画                      ４８…第３ヒューズ部
５０…第２微小区画                      ５２…第４ヒューズ部
５４…第５ヒューズ部                    ５６…第６ヒューズ部
６０Ｂ…スペーサ
【図１】
0004698474.tif 000002
【図２】
0004698474.tif 000003
【図３】
0004698474.tif 000004
【図４】
0004698474.tif 000005
【図５】
0004698474.tif 000006
【図６】
0004698474.tif 000007
【図７】
0004698474.tif 000008
【図８】
0004698474.tif 000009
【図９】
0004698474.tif 000010
【図１０】
0004698474.tif 000011